(57)【要約】【課題】  肘掛部の取外し・取付け作業を伴わず、開口部の通過時などにその幅員を狭めることのできる椅子式マッサージ機を提供する。【解決手段】  肘掛部６を両外側に設けた座部３に着座した被施療者に対してマッサージ施療を施す椅子式マッサージ機１である。取付状態を維持しつつ肘掛部６の外側端位置を内側に変更可能にする幅員減少手段１０を設ける。【選択図】        図１
2009082425.tif 000002
【特許請求の範囲】
【請求項１】
肘掛部を両外側に設けた座部に着座した被施療者に対してマッサージ施療を施す椅子式マッサージ機であって、取付状態を維持しつつ肘掛部の外側端位置を内側に変更可能にする幅員減少手段を設けたことを特徴とする椅子式マッサージ機。
【請求項２】
肘掛部に上面が肘載置面となる長尺の肘載部材を備え、上記肘載部材をその長手軸廻りに回転させる回転姿勢変更機構で幅員減少手段を構成したことを特徴とする請求項１記載の椅子式マッサージ機。
【請求項３】
肘掛部は座部の外側に沿設した縦壁状の肘掛基部の上部に肘載部材を取り付けて構成され、幅員減少手段にて肘載部材を肘掛基部の外側面よりも内側へ位置可能にしたことを特徴とする請求項１又は２記載の椅子式マッサージ機。
【発明の詳細な説明】
【技術分野】
【０００１】
本発明は、椅子式マッサージ機に関するものである。
【背景技術】
【０００２】
従来から、座部の後方に背凭れ部を傾倒自在に備えると共に座部の両外側に肘掛部を備えて成る椅子本体を有し、この椅子本体に着座した被施療者に対してマッサージ施療を施すようにした椅子式マッサージ機が知られている（たとえば特許文献１参照）。
【０００３】
ところで近年、椅子式マッサージ機では、マッサージ施療における施療部位の増加や多機能化によって、マッサージ機器を収める椅子本体の幅員が拡大する傾向にあり、これがために、完成状態の椅子式マッサージ機を室内に搬入する際に建物の開口部を通過できないなどの事態も生じている。
【０００４】
ここで、椅子式マッサージ機の幅寸法（幅員）は座部の両外側に配設された肘掛部により決定される。しかして、上記開口部を通過する際など椅子式マッサージ機の幅員を狭くする必要がある場合には、椅子本体から肘掛部を取外すことで対処せざるを得ないものであった。つまり、この対処にあっては、肘掛部の椅子本体からの取外し・取付け作業が手間であるばかりか、取り外した一対の肘掛部を椅子本体に取付ける際に左右反対に取り付けてしまうなどの取付け間違いも生じるという問題があり、これに代わる対処を可能にする椅子式マッサージ機が切望されているのが現状である。
【特許文献１】特開２００７−８９７０４号公報
【発明の開示】
【発明が解決しようとする課題】
【０００５】
本発明は上記の点に鑑みてなされたものであり、その目的とするところは、肘掛部を取外すことなく幅員を狭めることのできる椅子式マッサージ機を提供することを課題とするものである。
【課題を解決するための手段】
【０００６】
上記課題を解決するために請求項１に係る椅子式マッサージ機にあっては、肘掛部６を両外側に設けた座部３に着座した被施療者に対してマッサージ施療を施す椅子式マッサージ機１であって、取付状態を維持しつつ肘掛部６の外側端位置を内側に変更可能にする幅員減少手段１０を設けたことを特徴とする。
【０００７】
これによると、幅員減少手段１０によって肘掛部６を取外すことなく肘掛部６の外側端位置を内側に変更できるのであり、肘掛部６の取外し・取付け作業を伴わず、開口部の通過時などに椅子式マッサージ機１の幅員Ａを狭めることができる。
【０００８】
また、請求項２に係る椅子式マッサージ機にあっては、請求項１において、肘掛部６に上面が肘載置面８ａとなる長尺の肘載部材８を備え、上記肘載部材８をその長手軸廻りに回転させる回転姿勢変更機構１１で幅員減少手段１０を構成したことを特徴とする。
【０００９】
これによると、回転姿勢変更機構１１によって肘掛部６の肘載部材８を略その場に位置させたままで椅子式マッサージ機１の幅員Ａを狭めることを可能にできるのであり、肘掛部６の動作スペースを小さくできて、椅子式マッサージ機１の省スペース化を図ることができる。
【００１０】
また、請求項３に係る椅子式マッサージ機にあっては、請求項１又は２において、肘掛部６は座部３の外側に沿設した縦壁状の肘掛基部７の上部に肘載部材８を取り付けて構成され、幅員減少手段１０にて肘載部材８を肘掛基部７の外側面７ａよりも内側へ位置可能にしたことを特徴とする。
【００１１】
これによると、椅子式マッサージ機１の幅員Ａを狭めた状態では椅子式マッサージ機１の最側方に縦壁状の肘掛基部７を位置させることができるから、開口部の通過時などに椅子式マッサージ機１にその外側方から外力が負荷されても、比較的頑丈な縦壁状の肘掛基部７に上記外力が負荷されることとなり、椅子式マッサージ機１の破損防止を図ることができる。
【発明の効果】
【００１２】
本発明にあっては、肘掛部の取外し・取付け作業を伴わず、開口部の通過時などに椅子式マッサージ機の幅員を狭めることができる、という利点を有する。
【発明を実施するための最良の形態】
【００１３】
以下、本発明を添付図面に示す実施形態に基いて説明する。
【００１４】
本例の椅子式マッサージ機１は、図２のように、座部３の後方に背凭れ部４を傾倒自在に備えると共に座部３の前方に足置き部５を備え、且つ座部３の左右の両外側に肘掛部６を備えて成る椅子本体２を有し、この椅子本体２に着座した被施療者に対してマッサージ施療を施すようにしたものである。特に図示はしないが、背凭れ部４には被施療者の背部に対して駆動する施療子で揉みやたたき等を伴う押圧マッサージを行う施療子駆動ユニットが内装され、座部３や足置き部５には施療者の脚に対して膨縮するエアバックで圧迫マッサージを行うエアバック駆動ユニットが内装されている。椅子本体２にはその骨格を形成する本体フレームを備えていて、該本体フレームにて座部３や背凭れ部４や足置き部５や肘掛部６を一体化させている。特に図示はしないが、本体フレームには伸縮機構やリンクが備えられており、この伸縮機構やリンクで背凭れ部４や足置き部５の傾倒動作が可能にされている。この椅子式マッサージ機１の幅員Ａ（左右最大幅寸法）は、一対の肘掛部６の外側端間の寸法となっている。
【００１５】
肘掛部６は、座部３の外側に沿設した縦壁状（鉛直壁状）の肘掛基部７と、肘掛基部７から上方に突出させた支持脚部９に取り付けた肘載部材８とで構成されている。肘掛基部７の表面は凹凸の無い平面状に形成されており、支持脚部９は肘掛基部７内を通った本体フレームの一部がこれを構成している。肘載部材８は、上面が肘載置面８ａとなった断面扁平半円状で、前後方向に長尺に形成された棒状部材で構成されている。この肘載部材８の左右幅寸法は肘載置面８ａの左右幅寸法Ｌで最大であり、この肘載置面８ａの左右幅寸法Ｌは肘載部材８の上下寸法Ｈに比べて長く形成されている。なお、肘載部材８の後部域は、リクライニングする背凭れ部４に凭れた被施療者の肘を無理なく載せ得るために、側面視で背凭れ部４に重複するように、すなわち背凭れ部４の左右の両外側に位置するように、配設される。
【００１６】
ここで、本例の椅子式マッサージ機１には、その幅員Ａ（最大左右幅寸法）を適宜狭め得るために、取付状態を維持しつつ肘掛部６の外側端位置を内側に変更可能にする幅員減少手段１０が設けられている。具体的に、本例の幅員減少手段１０としては、肘載部材８をその長手軸廻りに回転させる回転姿勢変更機構１１が採用されている。本例の回転姿勢変更機構１１は肘載部材８の下端部を支持脚部９の上部に肘載部材８の長さ方向（前後方向）の枢支軸を介して枢支した構造であり、図１（ａ）や図２のように通常使用時で上方に面した略水平な肘載置面８ａが、姿勢変更時（幅員変更時）には図１（ｂ）や図３のように略鉛直にされて座部３側（左右中央側）に面するように姿勢変更可能にされている。なお詳しくは、肘載部材８は左右幅方向のやや内側寄りの部位が支持脚部９に枢支されており、通常使用時では、肘載部材８はその外端が肘掛基部７の外側面７ａよりも外方に突出するように位置されて、肘載部材８の最下端部から下方に垂設した取付片８ｂを支持脚部９の外側面９ａに当ててビス止めして固定可能にしてあり、一方、幅員変更時では、図１（ｂ）のように肘載部材８は肘掛基部７の外側面７ａよりも内側へ位置するようにされている。
【００１７】
このように本例の椅子式マッサージ機１では、幅員減少手段１０によって肘掛部６を取外すことなく肘掛部６の外側端位置を内側に変更できるのであり、肘掛部６の取外し・取付け作業を伴わず、開口部の通過時などに椅子式マッサージ機１の幅員Ａを狭めることができたのである。
【００１８】
また、幅員減少手段１０として採用した肘載部材８をその長手軸廻りに回転させる回転姿勢変更機構１１によると、その後部域が側面視で背凭れ部４に重複する肘載部材８を略その場に位置させたままで椅子式マッサージ機１の幅員Ａを狭めることを可能にしたのであり、つまり肘掛部６の動作スペースを小さくし、椅子式マッサージ機１の省スペース化が図られているのである。
【００１９】
更に言うと、肘掛部６の幅員変更時には上記のように肘載部材８は肘掛基部７の外側面７ａよりも内側へ位置するようにされているので、つまり肘掛部６の姿勢変更時（幅員変更時）には椅子式マッサージ機１の最側方に縦壁状の肘掛基部７が位置されることとなり、開口部の通過時などに椅子式マッサージ機１にその外側方から外力が負荷されても、比較的頑丈な縦壁状の肘掛基部７の外側面７ａに上記外力が負荷されることとなり、椅子式マッサージ機１の破損防止も図られているのである。
【００２０】
なお、特に図示はしないが、幅員減少手段１０としては、たとえば肘載部材８を支持脚部９に設けたガイドレール部上に滑らせる等して左右にスライド移動可能にするスライド機構で構成することもできる。また、上記実施形態では、回転姿勢変更機構１１として肘載部材８を支持脚部９に対して不動の枢支軸で軸支した軸支構造を例示したが、回転姿勢変更機構１１としては、たとえば肘載部材８の回動動作に併せて、肘載部材８と支持脚部９とを軸支する枢支軸も内側にスライド移動するようなスライド式の回動姿勢変更機構を採用することもできる。
【図面の簡単な説明】
【００２１】
【図１】本発明の実施の形態の例の椅子式マッサージ機であって幅員減少手段（回転姿勢変更機構）による肘掛部の動作を説明する説明図であり、（ａ）は通常使用時の肘掛部付近の正面図であり、（ｂ）は幅員変更時の肘掛部付近の正面図である。
【図２】同上の通常使用時の椅子式マッサージ機であり、（ａ）は全体正面図であり、（ｂ）は全体側面図である。
【図３】同上の幅員変更時の椅子式マッサージ機であり、（ａ）は全体正面図であり、（ｂ）は全体平面図である。
【符号の説明】
【００２２】
１  椅子式マッサージ機
２  椅子本体
３  座部
４  背凭れ部
５  足置き部
６  肘掛部
７  肘掛基部
７ａ  外側面
８  肘載部材
８ａ  肘載置面
８ｂ  取付片
９  支持脚部
１０  幅員減少手段
１１  回転姿勢変更機構
Ａ  椅子式マッサージ機の幅員
【図１】
2009082425.tif 000003
【図２】
2009082425.tif 000004
【図３】
2009082425.tif 000005